(57)【要約】  無線通信システムは、第１の無線通信方式に対応する第１の無線基地局と、第２の無線通信方式に対応する第２の無線基地局とを有する。第１の無線基地局は、上位ネットワークからの緊急事態に関連する緊急情報を受信した場合に、第１の無線基地局に接続している無線端末に対して、第２の無線基地局への接続の切り替えを要求する第１の切替要求通知を送信する。無線端末は、第１の切替要求通知を受信した場合に、第２の無線基地局に対して、第２の無線基地局への接続を要求する接続要求通知を送信する。
2012144353.tif 000002
【特許請求の範囲】
【請求項１】
第１の無線通信方式に対応する第１の無線基地局と、第２の無線通信方式に対応する第２の無線基地局とを有する無線通信システムであって、
前記第１の無線基地局は、緊急事態に関連する緊急情報を受信した場合に、前記第１の無線基地局に接続している無線端末に対して、前記第２の無線基地局への接続の切り替えを要求する第１の切替要求通知を送信し、
前記無線端末は、前記第１の切替要求通知を受信した場合に、前記第２の無線基地局に対して、前記第２の無線基地局への接続を要求する接続要求通知を送信する無線通信システム。
【請求項２】
前記第２の無線基地局は、前記第２の無線基地局に接続を切り替えた複数の無線端末のうち、音声通信を行っていない無線端末に対して、前記第１の無線基地局への接続の切り替えを要求する第２の切替要求通知を送信する請求項１に記載の無線通信システム。
【請求項３】
前記第２の無線基地局は、音声通信を行っている無線端末の数に応じて、前記第２の切替要求通知を送信する請求項２に記載の無線通信システム。
【請求項４】
前記第２の無線基地局は、音声通信を行っている無線端末の比率に応じて、前記第２の切替要求通知を送信する請求項２に記載の無線通信システム。
【請求項５】
前記無線端末は、前記第２の無線基地局に接続してから第１の所定時間経過後に、前記第１の無線基地局に対して、前記第１の無線基地局への接続を要求する第１の再接続要求通知を送信する請求項１に記載の無線通信システム。
【請求項６】
前記無線端末は、前記第２の無線基地局に接続して音声通信を行ってから第２の所定時間経過後に、前記第１の無線基地局への接続を要求する第２の再接続要求通知を送信する請求項１に記載の無線通信システム。
【請求項７】
前記第１の無線基地局は、前記第１の無線基地局に接続している複数の無線端末に対して、異なるタイミングで前記第１の切替要求通知を送信する請求項１に記載の無線通信システム。
【請求項８】
所定の無線通信方式に対応するシステム内の無線基地局であって、
緊急事態に関連する緊急情報を受信した場合に、前記無線基地局に接続している無線端末に対して、他の無線通信方式に対応するシステム内の他の無線基地局への接続の切り替えを要求する切替要求通知を送信する無線基地局。
【請求項９】
第１の無線通信方式に対応する第１の無線基地局と、第２の無線通信方式に対応する第２の無線基地局とに接続可能な無線端末であって、
前記第１の無線基地局から送信される、前記第２の無線基地局への接続の切り替えを要求する切替要求通知を受信した場合に、前記第２の無線基地局に対して、前記第２の無線基地局への接続を要求する接続要求通知を送信する無線端末。
【請求項１０】
第１の無線通信方式に対応する第１の無線基地局と、第２の無線通信方式に対応する第２の無線基地局とを有する無線通信システムにおける通信制御方法であって、
前記第１の無線基地局が、緊急事態に関連する緊急情報を受信した場合に、前記第１の無線基地局に接続している無線端末に対して、前記第２の無線基地局への接続の切り替えを要求する切替要求通知を送信するステップと、
前記無線端末が、前記切替要求通知を受信した場合に、前記第２の無線基地局に対して、前記第２の無線基地局への接続を要求する接続要求通知を送信するステップとを含む通信制御方法。
【発明の詳細な説明】
【技術分野】
【０００１】
本発明は、第１の無線通信方式に対応する第１のシステムと、第２の無線通信方式に対応する第２のシステムとを有する無線通信システム、当該無線通信システムにおける無線基地局、無線端末、及び、当該無線通信システムにおける通信制御方法に関する。
【背景技術】
【０００２】
３ＧＰＰ（Third Generation Partnership Project）において、現在、規格策定中のＬＴＥ（Long Term Evolution）に対応する無線通信システムでは、無線基地局は、バックホールを介して、上位のノードであるＭＭＥ（Mobile Management Entity）に接続され、当該ＭＭＥとの間で通信を行う。【０００３】
同様に、ＣＤＭＡ（Code Division Multiple Access）に対応する無線通信システムでは、無線基地局は、バックホールを介して、上位のノードであるＭＳＣ／ＶＬＲ（Mobile Switching Center/Visitor Location Register）に接続され、当該ＭＳＣ／ＶＬＲの間で通信を行う。【０００４】
ＬＴＥ及びＣＤＭＡに対応する無線通信システムは、ＬＴＥがＶｏＩＰ（Voice over IP）の機能を有しない場合、音声通信サービス時に、ＣＳ−Ｆａｌｌｂａｃｋの技術を用いる。ＣＳ−Ｆａｌｌｂａｃｋでは、ＬＴＥに対応する無線基地局（ＬＴＥ基地局）に接続していた無線端末は、ＣＤＭＡに対応する無線基地局（ＣＤＭＡ基地局）に接続を切り替えて音声通信を開始する。【０００５】
ＣＳ−Ｆａｌｌｂａｃｋを用いる無線通信システムでは、無線端末は、ＬＴＥ基地局に常時接続する。このため、無線端末は、音声通信において、ＬＴＥ基地局を介して、発信要求の送信や着信時の呼び出しの受信を行う。その後、無線端末は、ＬＴＥ基地局からＣＤＭＡ基地局に接続を切り替えるハンドオーバを行う。無線端末は、ハンドオーバ後に、ＣＤＭＡ基地局を介して、発信要求の送信や着信時の呼び出しの受信を行い、音声通話を開始する。【０００６】
地震等の災害時には、多数の人が、安否確認や救助要請等のために音声通信を行うことが予想される。このため、ＣＳ−Ｆａｌｌｂａｃｋにおけるハンドオーバ等の各種の処理が増加し、より輻輳が発生しやすい状態になると予想される。【０００７】
また、ＣＳ−Ｆａｌｌｂａｃｋを用いる無線通信システムは、無線端末がＬＴＥ基地局及びＣＤＭＡ基地局の双方に接続可能であることが必要である。しかし、災害時には、無線基地局の故障、バックホール回線の切断等の障害が発生する可能性がある。特に、ＬＴＥ基地局に障害が発生した場合には、ＣＤＭＡ基地局が正常に動作していても、無線端末は、音声通信を行うことができなくなってしまう。
【先行技術文献】
【非特許文献】
【０００８】
【非特許文献１】3GPP TS 36.300 V9.4.0 (2010-06)
【発明の概要】
【０００９】
本発明の特徴は、第１の無線通信方式（ＬＴＥ）に対応する第１の無線基地局（ＬＴＥ基地局１０）と、第２の無線通信方式（ＣＤＭＡ）に対応する第２の無線基地局（ＣＤＭＡ基地局２０）システムとを有する無線通信システム（無線通信システム１）であって、前記第１の無線基地局は、緊急事態に関連する緊急情報（ＥＴＷＳ情報）を受信した場合に、前記第１の無線基地局に接続している無線端末（ＵＥ２００）に対して、前記第２の無線基地局への接続の切り替えを要求する第１の切替要求通知（接続先をＬＴＥ基地局１０からＣＤＭＡ基地局２０へ切り替えるためのハンドオーバコマンド）を送信し、前記無線端末は、前記第１の切替要求通知を受信した場合に、前記第２の無線基地局に対して、前記第２の無線基地局への接続を要求する接続要求通知（接続要求メッセージ）を送信することを要旨とする。
【００１０】
このような無線通信システムにおいて、第１の無線基地局が緊急情報を受信した場合、その後の災害により、第１の無線基地局が故障したり、第１の無線基地局と上位の装置とを接続するバックホール回線が切断すること等により、第１の無線基地局に接続している無線端末が無線通信を行えなくなる可能性がある。このため、第１の無線基地局が、緊急情報を受信した場合に、当該第１の無線基地局に接続している無線端末に対して、第２の無線基地局への接続の切り替えを要求し、無線端末は、切り替え要求に応じて、第２の無線基地局に対して、当該第２の無線基地局への接続を要求する。これにより、第１の無線基地局が故障したり、第１の無線基地局に関する障害が発生する前に、無線端末は、予め接続先を第２の無線基地局に切り替えることができ、無線通信の確実性を向上できる。
【００１１】
本発明の特徴は、前記第２の無線基地局は、前記第２の無線基地局に接続を切り替えた複数の無線端末のうち、音声通信を行っていない無線端末に対して、前記第１の無線基地局への接続の切り替えを要求する第２の切替要求通知（接続先をＣＤＭＡ基地局２０からＬＴＥ基地局１０へ切り替えるためのハンドオーバコマンド）を送信することを要旨とする。
【００１２】
本発明の特徴は、前記第２の無線基地局は、音声通信を行っている無線端末の数に応じて、前記第２の切替要求通知を送信することを要旨とする。
【００１３】
本発明の特徴は、前記第２の無線基地局は、音声通信を行っている無線端末の比率に応じて、前記第２の切替要求通知を送信することを要旨とする。
【００１４】
本発明の特徴は、前記無線端末は、前記第２の無線基地局に接続してから第１の所定時間経過後に、前記第１の無線基地局に対して、前記第１の無線基地局への接続を要求する第１の再接続要求通知（接続要求メッセージ）を送信することを要旨とする。
【００１５】
本発明の特徴は、前記無線端末は、前記第２の無線基地局に接続して音声通信を行ってから第２の所定時間経過後に、前記第１の無線基地局への接続を要求する第２の再接続要求通知を送信することを要旨とする。
【００１６】
本発明の特徴は、前記第１の無線基地局は、前記第１の無線基地局に接続している複数の無線端末に対して、異なるタイミングで前記第１の切替要求通知を送信することを要旨とする。
【００１７】
本発明の特徴は、所定の無線通信方式に対応するシステム内の無線基地局であって、緊急事態に関連する緊急情報を受信した場合に、前記無線基地局に接続している無線端末に対して、他の無線通信方式に対応するシステム内の他の無線基地局への接続の切り替えを要求する切替要求通知を送信することを要旨とする。
【００１８】
本発明の特徴は、第１の無線通信方式に対応する第１の無線基地局と、第２の無線通信方式に対応する第２の無線基地局とに接続可能な無線端末であって、前記第１の無線基地局から送信される、前記第２の無線基地局への接続の切り替えを要求する切替要求通知を受信した場合に、前記第２の無線基地局に対して、前記第２の無線基地局への接続を要求する接続要求通知を送信することを要旨とする。
【００１９】
本発明の特徴は、第１の無線通信方式に対応する第１の無線基地局と、第２の無線通信方式に対応する第２の無線基地局とを有する無線通信システムにおける通信制御方法であって、前記第１の無線基地局が、緊急事態に関連する緊急情報を受信した場合に、前記第１の無線基地局に接続している無線端末に対して、前記第２の無線基地局への接続の切り替えを要求する切替要求通知を送信するステップと、前記無線端末が、前記切替要求通知を受信した場合に、前記第２の無線基地局に対して、前記第２の無線基地局への接続を要求する接続要求通知を送信するステップとを含むことを要旨とする。
【図面の簡単な説明】
【００２０】
【図１】図１は、本発明の実施形態に係る無線通信システムの全体概略構成図である。
【図２】図２は、本発明の実施形態に係るＬＴＥ基地局の構成図である。
【図３】図３は、本発明の実施形態に係るＣＤＭＡ基地局の構成図である。
【図４】図４は、本発明の実施形態に係るＵＥの構成図である。
【図５】図５は、本発明の実施形態に係る無線通信システムの第１の動作を示すシーケンス図である。
【図６】図６は、本発明の実施形態に係る無線通信システムの第２の動作を示すシーケンス図である。
【図７】図７は、本発明の実施形態に係る無線通信システムの第３の動作を示すシーケンス図である。
【図８】図８は、本発明の実施形態に係る無線通信システムの第４の動作を示すシーケンス図である。
【図９】図９は、本発明の実施形態に係る無線通信システムの第５の動作を示すシーケンス図である。
【発明を実施するための形態】
【００２１】
次に、図面を参照して、本発明の実施形態を説明する。具体的には、無線通信システムの構成、無線通信システムの動作、作用・効果、その他の実施形態について説明する。以下の実施形態における図面の記載において、同一又は類似の部分には同一又は類似の符号を付している。
【００２２】
（１）無線通信システムの構成
図１は、本実施形態に係る無線通信システムの概略構成図である。図１に示す無線通信システム１は、ＬＴＥに対応する無線通信システムと、ＣＤＭＡに対応する無線通信システムとにより構成される。
【００２３】
無線通信システム１は、無線端末（ＵＥ：User Equipment）２００−１及びＵＥ２００−２（以下、ＵＥ２００−１及びＵＥ２００−２をまとめて、適宜「ＵＥ２００」と称する）と、外部の交換機４５０に接続された端末装置４００との間の音声通信を可能とする。
【００２４】
本実施形態において、ＬＴＥに対応する無線通信システムは、ＶｏＩＰ（Voice over IP）の機能を有していないデータ通信用の無線通信システムである。ＬＴＥに対応する無線通信システムは、ＬＴＥ基地局１０、ルータ５０、Ｓ−ＧＷ（Serving Gateway）６０、Ｐ−ＧＷ（Packet data network Gateway）７０、ＩＭＳ（IP Multimedia Subsystem）８０、及び、ＭＭＥ（Mobile Management Entity）９０を含む。ルータ５０、Ｓ−ＧＷ６０、Ｐ−ＧＷ７０、ＩＭＳ８０、及び、ＭＭＥ９０は、ＬＴＥに対応する無線通信システムにおけるバックホール（ＬＴＥバックホール）に設置されている。
【００２５】
ＬＴＥに対応する無線通信システムは、公衆警報システム（ＰＷＳ：Public Warning System）の１つである地震津波警報システム（ＥＴＷＳ：Earthquake and Tsunami Warning System）の機能を有する。ＥＴＷＳは、ＬＴＥに対応する無線通信システムのブロードキャストチャンネルを利用して、地震、津波に関する緊急情報を、ＵＥ２００へ通知するシステムである。
【００２６】
本実施形態において、ＣＤＭＡに対応する無線通信システムは、音声通信用の無線通信システムである。ＣＤＭＡに対応する無線通信システムは、ＣＤＭＡ基地局２０、ＲＮＣ（Radio Network Controller）１００、ＭＳＣ／ＶＬＲ（Mobile Switching Center/Visitor Location Register）１１０、ＧＭＣＳ（Generalized Multi Carrier Subsystem）１２０、及び、交換機１３０を含む。ＲＮＣ１００、ＭＳＣ／ＶＬＲ１１０、ＧＭＣＳ１２０、及び、交換機１３０は、ＣＤＭＡに対応する無線通信システムにおけるバックホール（ＣＤＭＡバックホール）に設置されている。
【００２７】
また、無線通信システム１は、ＬＴＥに対応する無線通信システムとＣＤＭＡに対応する無線通信システムとで共用されるＨＳＳ（Home Subscriber Server）１４０及びＣＢＣ９５と、ＬＴＥに対応する無線通信システムとＣＤＭＡに対応する無線通信システムとを接続するネットワーク１５１とを含む。ＬＴＥ基地局１０とＣＤＭＡ基地局２０とは、同じ位置に併設されている。
【００２８】
本実施形態において、ＵＥ２００は、ＬＴＥ基地局１０のセル内、及び、ＣＤＭＡ基地局２０のセル内に存在し、ＬＴＥ基地局１０及びＣＤＭＡ基地局の双方と無線通信が可能である。
【００２９】
（１．１）ＬＴＥ基地局の構成
図２は、ＬＴＥ基地局１０の構成を示す図である。図２に示すように、ＬＴＥ基地局１０は、制御部１１、無線通信部１２、アンテナ１３、有線通信部１４及び記憶部１５を含む。
【００３０】
制御部１１は、例えばＣＰＵ（Central Processing Unit）、ＤＳＰ（Digital Signal Processor）等を用いて構成される。制御部１１は、ＬＴＥ基地局１０が具備する各種の機能を制御する。
【００３１】
無線通信部１２は、例えば無線周波数（ＲＦ）回路やベースバンド（ＢＢ）回路等を用いて構成される。無線通信部１２は、アンテナ１３を介して、ＵＥ２００との間で無線通信を行うことができる。有線通信部１４は、上位ノードであるルータ５０との間で通信を行う。記憶部１５は、例えばメモリを用いて構成され、ＬＴＥ基地局１０の制御等に用いられる各種の情報を記憶する。
【００３２】
（１．２）ＣＤＭＡ基地局の構成
図３は、ＣＤＭＡ基地局２０の構成を示す図である。図３に示すように、ＣＤＭＡ基地局２０は、制御部２１、無線通信部２２、アンテナ２３、有線通信部２４及び記憶部２５を含む。
【００３３】
制御部２１は、例えばＣＰＵ、ＤＳＰ等を用いて構成される。制御部２１は、ＣＤＭＡ基地局２０が具備する各種の機能を制御する。
【００３４】
無線通信部２２は、例えばＲＦ回路やＢＢ回路等を用いて構成される。無線通信部２２は、アンテナ２３を介して、ＵＥ２００との間で無線通信を行うことができる。有線通信部２４は、上位ノードであるＲＮＣ１００との間で通信を行う。記憶部２５は、例えばメモリを用いて構成され、ＣＤＭＡ基地局２０の制御等に用いられる各種の情報を記憶する。
【００３５】
（１．３）ＵＥの構成
図４は、ＵＥ２００の構成を示す図である。図４に示すように、ＵＥ２００は、制御部２０１、無線通信部２０２、アンテナ２０３及び記憶部２０５とを含む。
【００３６】
制御部２０１は、例えばＣＰＵ、ＤＳＰ等を用いて構成される。制御部２０１は、ＵＥ２００が具備する各種の機能を制御する。
【００３７】
無線通信部２０２は、例えばＲＦ回路やＢＢ回路等を用いて構成される。無線通信部２０２は、アンテナ２０３を介して、ＬＴＥ基地局１０及びＣＤＭＡ基地局２０との間で無線通信を行うことができる。記憶部２０５は、例えばメモリを用いて構成され、ＵＥ２００の制御等に用いられる各種の情報を記憶する。
【００３８】
無線通信システム１は、ＵＥ２００による音声通信時に、ＣＳ−Ｆａｌｌｂａｃｋの技術を用いる。これにより、ＬＴＥ基地局１０に接続していたＵＥ２００は、ＣＤＭＡ基地局２０に接続を切り替えて音声通信を開始する。
【００３９】
以下、ＣＳ−Ｆａｌｌｂａｃｋが行われる際の詳細な処理（第１の処理乃至第４の処理）を説明する。
【００４０】
（第１の処理）
図示しないＥＴＷＳ発令端末装置は、地震や津波の発生が予想される場合に、予め定められた緊急事態に関連する情報である地震津波警報（ＥＴＷＳ）情報を、図示しないＥＴＷＳ情報サーバへ送信する。ＥＴＷＳ情報は、例えば、予想される地震の揺れの大きさの情報、予想される津波の高さの情報を含む。
【００４１】
ＥＴＷＳ情報サーバは、ＥＴＷＳ情報を受信する。更に、ＥＴＷＳ情報サーバは、ＥＴＷＳ情報を、ＭＭＥ９０へ送信する。ＭＭＥ９０は、ＥＴＷＳ情報を受信する。更に、ＭＭＥ９０は、ＥＴＷＳ情報を、ルータ５０を介して、ＬＴＥ基地局１０へ送信する。
【００４２】
ＬＴＥ基地局１０内の制御部１１は、有線通信部１４を介して、ＥＴＷＳ情報を受信する。ＬＴＥ基地局１０内の制御部１１は、ＥＴＷＳ情報によって示される災害の規模を分析する。災害の規模が所定の規模以上である場合（例えば、予想される地震の揺れの大きさが所定値以上である場合、予想される津波の高さが所定値以上である場合）、ＬＴＥ基地局１０内の制御部１１は、無線通信部１２及びアンテナ１３を介して、ＬＴＥ基地局１０に接続しているＵＥ２００に対して、ＣＳ−Ｆａｌｌｂａｃｋでの待ち受けの開始を指示するメッセージ（ＣＳ待受開始指示メッセージ）を送信する。ＣＳ−Ｆａｌｌｂａｃｋでの待ち受けとは、ＵＥ２００が音声通信の発信側となる場合に、ＣＤＭＡ基地局２０に接続し、ＵＥ２００が音声通信の着信側となる場合に、ＣＤＭＡ基地局２０からの一斉呼出メッセージを受信するように、ＵＥ２００がＣＤＭＡ基地局２０に接続して、音声通信における待ち受け状態となることを意味する。
【００４３】
ＵＥ２００内の制御部２０１は、アンテナ２０３及び無線通信部２０２を介して、ＣＳ待受開始指示メッセージを受信する。ＵＥ２００内の制御部２０１とＬＴＥ基地局１０内の制御部１１とは、ＣＳ−Ｆａｌｌｂａｃｋでの待ち受け時にＵＥ２００の接続先となるＣＤＭＡ基地局２０を決定する処理（Optional Measurement Report Solicitation）を行う。
【００４４】
具体的には、ＵＥ２００内の制御部２０１は、周辺のＣＤＭＡ基地局２０からの信号（報知信号）を、アンテナ２０３及び無線通信部２０２を介して受信する。報知信号は、送信元のＣＤＭＡ基地局２０の識別情報を含む。ＵＥ２００内の制御部２０１は、受信した各報知信号の受信レベル（受信電界強度）を測定する。ＵＥ２００内の制御部２０１は、受信レベルが所定値以上である報知信号の送信元のＣＤＭＡ基地局２０を、ＣＳ−Ｆａｌｌｂａｃｋでの待ち受け時におけるＵＥ２００の接続先の候補として決定する。ＵＥ２００内の制御部２０１は、ＣＳ−Ｆａｌｌｂａｃｋでの待ち受け時におけるＵＥ２００の接続先の候補となるＣＤＭＡ基地局２０の識別情報を、メジャメントレポート情報として、無線通信部２０２及びアンテナ２０３を介して、ＬＴＥ基地局１０へ送信する。
【００４５】
ＬＴＥ基地局１０内の制御部１１は、メジャメントレポート情報を受信する。ＬＴＥ基地局１０内の制御部１１は、メジャメントレポート情報に基づいて、ＣＳ−Ｆａｌｌｂａｃｋでの待ち受け時におけるＵＥ２００の接続先となるＣＤＭＡ基地局２０を決定する。
【００４６】
ＬＴＥ基地局１０内の制御部１１は、ハンドオーバコマンドを、無線通信部１２及びアンテナ１３を介して、ＵＥ２００へ送信する。ハンドオーバコマンドは、ＣＳ−Ｆａｌｌｂａｃｋでの待ち受け時におけるＵＥ２００の接続先として決定したＣＤＭＡ基地局２０へのハンドオーバを指示するためのコマンドである。ハンドオーバコマンドは、接続先となるＣＤＭＡ基地局２０の識別情報を含む。ここで、ＬＴＥ基地局１０によって形成されるセル内に複数のＵＥ２００が存在し、ＬＴＥ基地局１０内の制御部１１が、各ＵＥ２００について接続先となるＣＤＭＡ基地局２０を決定した場合、当該ＬＴＥ基地局１０内の制御部１１は、各ＵＥ２００に対して、異なるタイミングでハンドオーバコマンドを送信する。
【００４７】
ＵＥ２００内の制御部２０１は、アンテナ２０３及び無線通信部２０２を介して、ハンドオーバコマンドを受信する。ＵＥ２００内の制御部２０１は、ハンドオーバコマンドに基づいて、接続先となるＣＤＭＡ基地局２０を認識する。ＵＥ２００内の制御部２０１は、無線通信部２０２及びアンテナ２０３を介して、ＣＤＭＡ基地局２０へ接続要求のメッセージを送信する。接続要求メッセージは、ＵＥ２００がＣＤＭＡ基地局２０に対して接続を要求するためのメッセージである。
【００４８】
ＣＤＭＡ基地局２０内の制御部２１は、アンテナ２３及び無線通信部２２を介して、接続要求メッセージを受信する。ＣＤＭＡ基地局２０内の制御部２１は、ＵＥ２００を接続する処理を行う。ＵＥ２００を接続する処理は、ＣＤＭＡ基地局２０内の制御部２１が、無線チャネルをＵＥ２００に割り当てる処理等である。接続処理により、ＬＴＥ基地局１０からＣＤＭＡ基地局２０へのハンドオーバが行われる。
【００４９】
ハンドオーバの終了後、ＵＥ２００内の制御部２０１は、無線通信部２０２及びアンテナ２０３を介して、ＣＤＭＡ基地局２０に対し、ＣＳ待受開始のメッセージを送信する。ＣＳ待受開始のメッセージは、ＣＳ−Ｆａｌｌｂａｃｋでの待ち受けを開始することを通知するためのメッセージである。例えば、ＣＳ待受開始メッセージは、送信元のＵＥ２００の識別情報を含む。
【００５０】
ＣＤＭＡ基地局２０内の制御部２１は、アンテナ２３及び無線通信部２２を介して、ＣＳ待受開始メッセージを受信する。更に、ＣＤＭＡ基地局２０内の制御部２１は、有線通信部２４及びＲＮＣ１００を介して、上位ノードであるＭＳＣ／ＶＬＲ１１０に対し、ＣＳ待受開始メッセージを送信する。
【００５１】
なお、ＵＥ２００がＣＤＭＡのシステム内でハンドオーバを行った場合、具体的には、ＵＥ２００の接続先がＣＤＭＡ基地局２０から他のＣＤＭＡ基地局２０に切り替わった場合、ＭＳＣ／ＶＬＲ１１０は、切替先の他のＣＤＭＡ基地局２０を下位ノードに含む他のＭＳＣ／ＶＬＲ１１０に対して、ＣＳ待受開始メッセージを送信する。
【００５２】
ＭＳＣ／ＶＬＲ１１０は、ＣＤＭＡのシステムにおいて、所定範囲（Ｌｏｃａｔｉｏｎ  Ａｒｅａ）の単位でＵＥ２００の位置を管理する。Ｌａｃａｔｉｏｎ  Ａｒｅａは、下位ノードである１又は複数のＣＤＭＡ基地局２０によって形成されるセルの領域である。例えば、ＭＳＣ／ＶＬＲ１１０は、Ｌｏｃａｔｉｏｎ  Ａｒｅａの識別情報と、当該Ｌｏｃａｔｉｏｎ  Ａｒｅａ内に存在するＵＥ２００の識別情報とを対応付けて保持している。ＭＳＣ／ＶＬＲ１１０は、ＣＳ待受開始メッセージを受信する。ＣＳ待受開始メッセージにより、ＭＳＣ／ＶＬＲ１１０は、当該ＣＳ待受開始メッセージの送信元のＵＥ２００がＣＳ−Ｆａｌｌｂａｃｋでの待ち受け状態となったこと、及び、位置の管理対象となったことを認識できる。更に、ＭＳＣ／ＶＬＲ１１０は、ＣＳ待受開始メッセージをＭＭＥ９０へ送信する。
【００５３】
ＭＭＥ９０は、ＬＴＥのシステムにおいて、所定範囲（Ｔｒａｃｋｉｎｇ  Ａｒｅａ）の単位でＵＥ２００の位置を管理する。Ｔｒａｃｋｉｎｇ  Ａｒｅａは、１又は複数のＬＴＥ基地局１０によって形成されるセルの領域である。例えば、ＭＭＥ９０は、Ｔｒａｃｋｉｎｇ  Ａｒｅａの識別情報と、当該ＴｒａｃｋｉｎｇＡｒｅａ内に存在するＵＥ２００の識別情報とを対応付けて保持している。ＭＭＥ９０は、ＣＳ待受開始メッセージを受信する。ＣＳ待受開始メッセージにより、ＭＭＥ９０は、当該ＣＳ待受開始メッセージの送信元のＵＥ２００が、ＣＳ−Ｆａｌｌｂａｃｋでの待ち受け状態になったこと、及び、位置の管理対象外になったことを認識できる。
【００５４】
（第２の処理）
第２の処理は、上述した第１の処理によって、ＵＥ２００がＣＤＭＡ基地局２０に接続して、音声通信における待ち受け状態となった後に行われる処理であり、ＵＥ２００への着信時の処理である。
【００５５】
ＭＳＣ／ＶＬＲ１１０は、上位ノードであるＧＭＣＳ１２０からの着信要求のメッセージを受信する。着信要求メッセージは、端末装置４００が発信側となり、ＵＥ２００が着信側となる音声通信において、ＵＥ２００に対する着信を要求するためのメッセージである。着信要求メッセージは、着信先となるＵＥ２００の識別情報を含む。
【００５６】
ＭＳＣ／ＶＬＲ１１０は、保持しているＵＥ２００の識別情報及びＬｏｃａｔｉｏｎ  Ａｒｅａの識別情報の組み合わせのうち、着信要求メッセージに含まれるＵＥ２００の識別情報を含む組み合わせを特定する。更に、ＭＳＣ／ＶＬＲ１１０は、特定した組み合わせに含まれるＬｏｃａｔｉｏｎ  Ａｒｅａの識別情報に対応するＬｏｃａｔｉｏｎ  Ａｒｅａを、着信先のＵＥ２００が存在するＬｏｃａｔｉｏｎ  Ａｒｅａと判別する。次に、ＭＳＣ／ＶＬＲ１１０は、判別したＬｏｃａｔｉｏｎ  Ａｒｅａに対応するＣＤＭＡ基地局２０に対して、ＲＮＣ１００を介して、一斉呼出メッセージを送信する。一斉呼出メッセージは、着信先であるＵＥ２００に対する呼び出しを行うためのメッセージである。一斉呼出メッセージは、着信先であるＵＥ２００の識別情報を含む。
【００５７】
ＣＤＭＡ基地局２０内の制御部２１は、有線通信部２４を介して、一斉呼出メッセージを受信する。ＣＤＭＡ基地局２０内の制御部２１は、無線通信部２２及びアンテナ２３を介して、一斉呼出メッセージを受信する。
【００５８】
ＵＥ２００内の制御部２０１は、アンテナ２０３及び無線通信部２０２を介して、一斉呼出メッセージを受信する。ＵＥ２００内の制御部２０１は、一斉呼出メッセージ内のＵＥ２００の識別情報が、自身の識別情報である場合、無線通信部２０２及びアンテナ２０３を介して、一斉呼出メッセージの送信元のＣＤＭＡ基地局２０に対して、一斉呼出応答メッセージを受信する。一斉呼出応答メッセージは、一斉呼出メッセージの応答となるメッセージである。
【００５９】
ＣＤＭＡ基地局２０内の制御部２１は、アンテナ２３及び無線通信部２２を介して、一斉呼出応答メッセージを受信する。ＣＤＭＡ基地局２０内の制御部２１は、有線通信部２４及びＲＮＣ１００を介して、ＭＳＣ／ＶＬＲ１１０に対して、一斉呼出応答メッセージを送信する。ＭＳＣ／ＶＬＲ１１０は、一斉呼出応答メッセージを受信する。一斉呼出応答メッセージの受信により、ＭＳＣ／ＶＬＲ１１０は、ＵＥ２００が着信したことを認識できる。その後、ＵＥ２００と端末装置４００との間で、ＣＤＭＡ基地局２０を介した音声通信が行われる。
【００６０】
（第３の処理）
第３の処理は、上述した第１の処理によって、ＵＥ２００がＣＤＭＡ基地局２０に接続して、音声通信における待ち受け状態となった後に行われる処理であり、ＵＥ２００による発信時の処理である。
【００６１】
ＵＥ２００内の制御部２０１は、無線通信部２０２及びアンテナ２０３を介して、音声発信要求メッセージを送信する。音声発信要求メッセージは、ＵＥ２００と端末装置４００との間の音声通信を要求するためのメッセージである。音声発信要求メッセージは、着信先となる端末装置４００の識別情報を含む。
【００６２】
ＣＤＭＡ基地局２０内の制御部２１は、アンテナ２３及び無線通信部２２を介して、音声発信要求メッセージを受信する。ＣＤＭＡ基地局２０内の制御部２１は、有線通信部２４及びＲＮＣ１００を介して、ＭＳＣ／ＶＬＲ１１０へ音声発信要求メッセージを送信する。ＭＳＣ／ＶＬＲ１１０は、音声発信要求メッセージを受信し、上位ノードであるＧＭＣＳ１２０へ送信する。その後、ＵＥ２００と端末装置４００との間で、ＣＤＭＡ基地局２０を介した音声通信が行われる。
【００６３】
（第４の処理）
第４の処理は、上述した第１の処理によって、ＵＥ２００がＣＤＭＡ基地局２０に接続して、音声通信における待ち受け状態となった後に行われる処理である。
【００６４】
ＵＥ２００内の制御部２０１は、当該ＵＥ２００が接続先をＬＴＥ基地局１０からＣＤＭＡ基地局２０に切り替えてからの経過時間、あるいは、ＣＤＭＡ基地局２０に接続して行った音声通信を終了してからの経過時間を測定する。
【００６５】
経過時間が予め定められた所定時間を経過した場合、ＵＥ２００内の制御部２０１は、無線通信部２０２及びアンテナ２０３を介して、ＬＴＥ基地局１０へ接続要求メッセージを送信する。接続要求メッセージは、ＵＥ２００がＬＴＥ基地局１０へ接続を要求するためのメッセージである。
【００６６】
ＬＴＥ基地局１０内の制御部１１は、アンテナ１３及び無線通信部１２を介して、接続要求メッセージを受信する。ＬＴＥ基地局１０内の制御部１１は、ＵＥ２００を接続する処理を行う。ＵＥ２００を接続する処理は、ＬＴＥ基地局１０内の制御部１１が、無線チャネルをＵＥ２００に割り当てる処理等である。接続処理により、ＣＤＭＡ基地局２０からＬＴＥ基地局１０へのハンドオーバが行われる。
【００６７】
ハンドオーバの終了後、ＵＥ２００内の制御部２０１は、無線通信部２０２及びアンテナ２０３を介して、ＬＴＥ基地局１０に対し、ＣＳ待受終了のメッセージを送信する。ＣＳ待受終了のメッセージは、ＣＳ−Ｆａｌｌｂａｃｋでの待ち受けを終了することを通知するためのメッセージである。例えば、ＣＳ待受開始メッセージは、送信元のＵＥ２００の識別情報を含む。
【００６８】
ＬＴＥ基地局１０内の制御部１１は、アンテナ１３及び無線通信部１２を介して、ＣＳ待受終了メッセージを受信する。更に、ＬＴＥ基地局１０内の制御部１１は、有線通信部１４及びルータ５０を介して、上位ノードであるＭＭＥ９０に対して、ＣＳ待受終了メッセージを送信する。
【００６９】
ＭＭＥ９０は、ＣＳ待受終了メッセージを受信し、ＭＳＣ／ＶＬＲ１１０へ送信する。ＭＳＣ／ＶＬＲ１１０は、ＣＳ待受終了メッセージを受信する。ＣＳ待受終了メッセージにより、ＭＳＣ／ＶＬＲ１１０は、当該ＣＳ待受終了メッセージの送信元のＵＥ２００が位置の管理対象外となったことを認識できる。
【００７０】
（第５の処理）
第５の処理は、上述した第１の処理によって、ＵＥ２００がＣＤＭＡ基地局２０に接続して、音声通信における待ち受け状態となった後に行われる処理である。
【００７１】
ＣＤＭＡ基地局２０内の制御部２１は、当該ＣＤＭＡ基地局２０に接続しているＵＥ２００のうち、ＬＴＥ基地局１０からＣＤＭＡ基地局２０へのハンドオーバを行ってＣＳ−Ｆａｌｌｂａｃｋでの待ち受け状態となっているＵＥ２００（ＣＳ待ち受け状態ＵＥ２００）を管理している。例えば、ＣＤＭＡ基地局２０内の制御部２１は、ＣＳ待受開始メッセージを受信した場合、当該ＣＳ待受開始メッセージの送信元のＵＥ２００がＣＳ待ち受け状態ＵＥ２００であると判断できる。
【００７２】
ＣＤＭＡ基地局２０内の制御部２１は、ＣＳ待ち受け状態ＵＥ２００のうち、音声通信が未実行であるＣＳ待ち受け状態ＵＥ２００を判別する。ここで、ＣＤＭＡ基地局２０内の制御部２１は、判定時に音声通信を行っているＣＳ待ち受け状態ＵＥ２００のみを判別してもよく、過去の所定期間内に音声通信を行っていないＣＳ待ち受け状態ＵＥ２００を判別してもよい。また、ＣＤＭＡ基地局２０内の制御部２１は、ＣＤＭＡ基地局２０に接続後、一度も音声通信を行っていないＣＳ待ち受け状態ＵＥ２００を判別してもよい。
【００７３】
ＣＤＭＡ基地局２０内の制御部２１は、ＣＳ待ち受け状態ＵＥ２００のうち、音声通信が未実行であるＣＳ待ち受け状態ＵＥ２００（音声通信未実行の待ち受け状態ＵＥ２００）の数を取得する。あるいは、ＣＤＭＡ基地局２０内の制御部２１は、ＣＳ待ち受け状態ＵＥ２００の数に対する、音声通信未実行のＣＳ待ち受け状態ＵＥ２００の比率（音声通信未実行比率）を算出する。
【００７４】
音声通信未実行のＣＳ待ち受け状態ＵＥ２００の数が予め定められた所定数以上である場合、あるいは、音声通信未実行比率が予め定められた所定値以上である場合、ＣＤＭＡ基地局２０内の制御部２１は、音声通信未実行のＣＳ待ち受け状態ＵＥ２００に対して、無線通信部２２及びアンテナ２３を介して、ハンドオーバコマンドを送信する。ハンドオーバコマンドは、ＬＴＥ基地局１０へのハンドオーバを指示するためのコマンドである。ハンドオーバコマンドは、接続先となるＬＴＥ基地局１０の識別情報を含む。
【００７５】
ＵＥ２００内の制御部２０１は、アンテナ２０３及び無線通信部２０２を介して、ハンドオーバコマンドを受信する。ＵＥ２００内の制御部２０１は、ハンドオーバコマンドに基づいて、接続先となるＬＴＥ基地局１０を認識する。ＵＥ２００内の制御部２０１は、無線通信部２０２及びアンテナ２０３を介して、ＬＴＥ基地局１０へ接続要求のメッセージを送信する。接続要求メッセージは、ＵＥ２００がＬＴＥ基地局１０に対して接続を要求するためのメッセージである。
【００７６】
ＬＴＥ基地局１０内の制御部１１は、アンテナ１３及び無線通信部１２を介して、接続要求メッセージを受信する。ＬＴＥ基地局１０内の制御部１１は、ＵＥ２００を接続する処理を行う。ＵＥ２００を接続する処理は、ＬＴＥ基地局１０内の制御部１１が、無線チャネルをＵＥ２００に割り当てる処理等である。接続処理により、ＣＤＭＡ基地局２０からＬＴＥ基地局１０へのハンドオーバが行われる。
【００７７】
ハンドオーバの終了後、ＵＥ２００内の制御部２０１は、無線通信部２０２及びアンテナ２０３を介して、ＬＴＥ基地局１０に対し、ＣＳ待受終了のメッセージを送信する。ＣＳ待受終了のメッセージは、ＣＳ−Ｆａｌｌｂａｃｋでの待ち受けを終了することを通知するためのメッセージである。例えば、ＣＳ待受開始メッセージは、送信元のＵＥ２００の識別情報を含む。
【００７８】
ＬＴＥ基地局１０内の制御部１１は、アンテナ１３及び無線通信部１２を介して、ＣＳ待受終了メッセージを受信する。更に、ＬＴＥ基地局１０内の制御部１１は、有線通信部１４及びルータ５０を介して、上位ノードであるＭＭＥ９０に対して、ＣＳ待受終了メッセージを送信する。
【００７９】
ＭＭＥ９０は、ＣＳ待受終了メッセージを受信し、ＭＳＣ／ＶＬＲ１１０へ送信する。ＭＳＣ／ＶＬＲ１１０は、ＣＳ待受終了メッセージを受信する。ＣＳ待受終了メッセージにより、ＭＳＣ／ＶＬＲ１１０は、当該ＣＳ待受終了メッセージの送信元のＵＥ２００が位置の管理対象外となったことを認識できる。
【００８０】
（２）無線通信システムの動作
図５は、無線通信システム１の第１の動作を示すシーケンス図である。第１の動作は、上述の第１の処理に対応する。
【００８１】
ステップＳ１００において、ＭＭＥ９０は、ＥＴＷＳ情報を受信する。ステップＳ１０１において、ＭＭＥ９０は、ＥＴＷＳ情報を送信する。ＬＴＥ基地局１０は、ＥＴＷＳ情報を受信する。
【００８２】
ステップＳ１０２において、ＬＴＥ基地局１０は、ＥＴＷＳ情報に基づいて、災害の規模を判定する。災害の規模が所定の規模以上である場合、ステップＳ１０３において、ＬＴＥ基地局１０は、ＣＳ待受開始指示メッセージを送信する。ＬＴＥ基地局１０に接続しているＵＥ２００は、ＣＳ待受開始指示メッセージを受信する。
【００８３】
ステップＳ１０４において、ＵＥ２００とＬＴＥ基地局１０とは、ＣＳ−Ｆａｌｌｂａｃｋでの待ち受け時にＵＥ２００の接続先となるＣＤＭＡ基地局２０を決定する処理（Optional Measurement Report Solicitation）を行う。
【００８４】
ステップＳ１０５において、ＬＴＥ基地局１０は、ハンドオーバコマンドを送信する。ＵＥ２００は、ハンドオーバコマンドを受信する。ステップＳ１０６において、ＵＥ２００は、接続要求メッセージを送信する。ＣＤＭＡ基地局２０は、接続要求メッセージを受信する。
【００８５】
ステップＳ１０７において、ＣＤＭＡ基地局２０とＵＥ２００とは、ＵＥ２００の接続先を、ＬＴＥ基地局１０からＣＤＭＡ基地局２０に切り替えるハンドオーバの処理を行う。
【００８６】
ステップＳ１０８において、ＵＥ２００は、ＣＳ待受開始メッセージを送信する。ＣＤＭＡ基地局２０は、ＣＳ待受開始のメッセージを受信する。ステップＳ１０９において、ＣＤＭＡ基地局２０は、ＣＳ待受開始メッセージを送信する。ＭＳＣ／ＶＬＲ１１０は、ＣＳ待受開始メッセージを受信する。ステップＳ１１０において、ＭＳＣ／ＶＬＲ１１０は、ＣＳ待受開始メッセージを送信する。ＭＭＥ９０は、ＣＳ待受開始メッセージを受信する。
【００８７】
図６は、無線通信システム１の第２の動作を示すシーケンス図である。第２の動作は、上述の第２の処理に対応する。
【００８８】
ステップＳ２０１において、ＭＳＣ／ＶＬＲ１１０は、着信要求メッセージを受信する。ステップＳ２０２において、ＭＳＣ／ＶＬＲ１１０は、一斉呼出メッセージを送信する。ＣＤＭＡ基地局２０は、一斉呼出メッセージを受信する。
【００８９】
ステップＳ２０３において、ＣＤＭＡ基地局２０は、一斉呼出メッセージを送信する。ＵＥ２００は、一斉呼出メッセージを受信する。ステップＳ２０４において、一斉呼出応答メッセージを送信する。ＣＤＭＡ基地局２０は、一斉呼出応答メッセージを受信する。ステップＳ２０５において、ＣＤＭＡ基地局２０は、一斉呼出応答メッセージを送信する。ＭＳＣ／ＶＬＲ１１０は、一斉呼出応答メッセージを受信する。
【００９０】
ステップＳ２０６において、ＵＥ２００と端末装置４００とは、ＣＤＭＡ基地局２０を介した音声通信を行う。
【００９１】
図７は、無線通信システム１の第３の動作を示すシーケンス図である。第３の動作は、上述の第３の処理に対応する。
【００９２】
ステップＳ３０１において、ＵＥ２００は、音声発信要求メッセージを送信する。ＣＤＭＡ基地局２０は、音声発信要求メッセージを受信する。ステップＳ３０２において、ＣＤＭＡ基地局２０は、音声発信要求メッセージを送信する。ＭＳＣ／ＶＬＲ１１０は、音声発信要求メッセージを受信する。ステップＳ３０３において、ＭＳＣ／ＶＬＲ１１０は、音声発信要求メッセージを送信する。
【００９３】
ステップＳ３０４において、ＵＥ２００と端末装置４００とは、ＣＤＭＡ基地局２０を介した音声通信を行う。
【００９４】
図８は、無線通信システム１の第４の動作を示すシーケンス図である。第４の動作は、上述の第４の処理に対応する。
【００９５】
ステップＳ４０１において、ＵＥ２００は、当該ＵＥ２００がＣＤＭＡ基地局２０に接続してからの経過時間、あるいは、ＣＤＭＡ基地局２０に接続して行った音声通信を終了してからの経過時間が、経過時間が予め定められた所定時間を経過したか否かを判定する。
【００９６】
経過時間が所定時間を経過した場合、ステップＳ４０２において、ＵＥ２００は、接続要求メッセージを送信する。ＬＴＥ基地局１０は、接続要求メッセージを受信する。
【００９７】
ステップＳ４０３において、ＬＴＥ基地局１０とＵＥ２００とは、ＵＥ２００の接続先を、ＣＤＭＡ基地局２０からＬＴＥ基地局１０に切り替えるハンドオーバの処理を行う。
【００９８】
ステップＳ４０４において、ＵＥ２００は、ＣＳ待受終了メッセージを送信する。ＬＴＥ基地局１０は、ＣＳ待受終了メッセージを受信する。ステップＳ４０５において、ＬＴＥ基地局１０は、ＣＳ待受終了メッセージを送信する。ＭＭＥ９０は、ＣＳ待受終了メッセージを受信する。ステップＳ４０６において、ＭＭＥ９０は、ＣＳ待受終了メッセージを送信する。ＭＳＣ／ＶＬＲ１１０は、ＣＳ待受終了メッセージを受信する。
【００９９】
図９は、無線通信システム１の第５の動作を示すシーケンス図である。第５の動作は、上述の第５の処理に対応する。
【０１００】
ステップＳ５０１において、ＣＤＭＡ基地局２０は、音声通信未実行のＣＳ待ち受け状態ＵＥ２００を判別する。ステップＳ５０２において、ＣＤＭＡ基地局２０は、音声通信未実行のＣＳ待ち受け状態ＵＥ２００の数又は比率を取得する。
【０１０１】
音声通信未実行のＣＳ待ち受け状態ＵＥ２００の数が所定数以上である場合、又は、音声通信未実行のＣＳ待ち受け状態ＵＥ２００の比率が所定値以上である場合、ステップＳ５０３において、ＣＤＭＡ基地局２０は、ハンドオーバコマンドを送信する。ＵＥ２００は、ハンドオーバコマンドを受信する。
【０１０２】
ステップＳ５０４において、ＵＥ２００は、接続要求メッセージを送信する。ＬＴＥ基地局１０は、接続要求メッセージを受信する。
【０１０３】
ステップＳ５０５において、ＬＴＥ基地局１０とＵＥ２００とは、ＵＥ２００の接続先を、ＣＤＭＡ基地局２０からＬＴＥ基地局１０に切り替えるハンドオーバの処理を行う。
【０１０４】
ステップＳ５０６において、ＵＥ２００は、ＣＳ待受終了メッセージを送信する。ＬＴＥ基地局１０は、ＣＳ待受終了メッセージを受信する。ステップＳ５０７において、ＬＴＥ基地局１０は、ＣＳ待受終了メッセージを送信する。ＭＭＥ９０は、ＣＳ待受終了メッセージを受信する。ステップＳ５０８において、ＭＭＥ９０は、ＣＳ待受終了メッセージを送信する。ＭＳＣ／ＶＬＲ１１０は、ＣＳ待受終了メッセージを受信する。
【０１０５】
（３）作用・効果
本実施形態に係る無線通信システム１において、ＬＴＥ基地局１０がＥＴＷＳ情報を受信した場合、その後の災害により、ＬＴＥ基地局１０が故障したり、ＬＴＥ基地局１０と上位ノードとを接続するバックホール回線が切断すること等により、ＬＴＥ基地局１０が無線通信を行えなくなる可能性がある。
【０１０６】
このため、ＬＴＥ基地局１０は、ＥＴＷＳ情報を受信した場合に、当該ＬＴＥ基地局１０に接続しているＵＥ２００に対して、ＣＤＭＡ基地局２０へ接続を切り替える要求であるハンドオーバコマンドを送信する。ＵＥ２００は、受信したハンドオーバコマンドに基づいて、ＣＤＭＡ基地局２０に対して、当該ＣＤＭＡ基地局２０への接続を要求する接続要求メッセージを送信する。これにより、ＬＴＥ基地局１０に関する障害が発生する前に、ＵＥ２００は、予め接続先をＣＤＭＡ基地局２０に切り替えて、ＣＳ−Ｆａｌｌｂａｃｋでの待ち受け状態となることができる。従って、ＵＥ２００の音声無線通信の確実性を向上できる。
【０１０７】
また、ＬＴＥ基地局１０に接続しているＵＥ２００が複数存在する場合には、ＬＴＥ基地局１０は、各ＵＥ２００に対して、異なるタイミングでハンドオーバコマンドを送信する。これにより、各ＵＥ２００は、異なるタイミングでハンドオーバコマンドを受信するため、ＬＴＥ基地局１０からＣＤＭＡ基地局２０へのハンドオーバ処理のタイミングも異なる。従って、ハンドオーバ元のＬＴＥ基地局１０及びハンドオーバ先のＣＤＭＡ基地局２０におけるハンドオーバに関わる処理が、短時間に集中することが防止され、処理の負荷が軽減される。
【０１０８】
また、ＵＥ２００の接続先がＬＴＥ基地局１０からＣＤＭＡ基地局２０に切り替わってからの経過時間、あるいは、ＣＤＭＡ基地局２０に接続して行った音声通信を終了してからの経過時間が所定時間を経過した場合、ＵＥ２００は、ＬＴＥ基地局１０へ接続要求メッセージを送信する。そして、ＵＥ２００の接続先を、ＣＤＭＡ基地局２０からＬＴＥ基地局１０に戻す処理が行われる。
【０１０９】
音声通信の頻度は、ＥＴＷＳ情報に対応する災害が発生した直後が高く、その後の時間経過に伴って、徐々に低下する予想される。このため、所定時間経過後に、ＵＥ２００の接続先がＣＤＭＡ基地局２０からＬＴＥ基地局１０に戻ることにより、ＵＥ２００は、ユーザの利用形態に合った接続先の基地局を選択できる。
【０１１０】
また、ＵＥ２００の接続先がＬＴＥ基地局１０からＣＤＭＡ基地局２０に切り替わった後において、音声通信未実行のＣＳ待ち受け状態ＵＥ２００の数が所定数以上である場合、又は、音声通信未実行のＣＳ待ち受け状態ＵＥ２００の比率が所定値以上である場合には、ＣＤＭＡ基地局２０は、音声通信未実行のＣＳ待ち受け状態ＵＥ２００に対してハンドオーバコマンドを送信する。そして、ＵＥ２００の接続先を、ＣＤＭＡ基地局２０からＬＴＥ基地局１０に戻す処理が行われる。
【０１１１】
ＥＴＷＳ情報に対応する災害が発生した直後においても、音声通信が行われなかったＵＥ２００（音声通信未実行のＣＳ待ち受け状態ＵＥ２００）は、その後も音声通信を行う可能性が低い。このため、音声通信未実行のＣＳ待ち受け状態ＵＥ２００の接続先がＣＤＭＡ基地局２０からＬＴＥ基地局１０に戻ることにより、ＵＥ２００は、ユーザの利用形態に合った接続先の基地局を選択できる。
【０１１２】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１１３】
上述した実施形態では、ＬＴＥ基地局１０は、ＥＴＷＳ情報を受信した場合に、ＵＥ２００へハンドオーバコマンドを送信して、当該ＵＥ２００の接続先がＬＴＥ基地局１０からＣＤＭＡ基地局２０に切り替わるようにした。しかし、ＬＴＥ基地局１０は、ＥＴＷＳ情報以外のＰＷＳに関する情報を受信した場合にも、ＵＥ２００へハンドオーバコマンドを送信するようにしてもよい。
【０１１４】
また、ＬＴＥ基地局１０は、ＣＤＭＡ基地局２０へハンドオーバー後、ＬＴＥ基地局１０へハンドオーバするための所定時間が経過していないときにおいて、ＵＥ２００よりＬＴＥ基地局１０へハンドオーバしたい旨のメッセージを受けた場合に、ＬＴＥ基地局１０へハンドオーバするようにしてもよい。
【０１１５】
これにより、ＵＥ２００がＣＤＭＡ基地局２０にハンドオーバ中に、ＵＥ２００のユーザがデータ通信を希望した場合等に、ＬＴＥ基地局１０を介した通信を行える可能性を有することができる。
【０１１６】
また、上述した実施形態では、無線通信システム１は、ＬＴＥに対応する無線通信システムと、ＣＤＭＡに対応する無線通信システムとにより構成されたが、他の無線通信方式に対応する無線通信システムにより構成される場合にも、同様に本発明を適用できる。
【０１１７】
このように本発明は、ここでは記載していない様々な実施形態等を包含するということを理解すべきである。したがって、本発明はこの開示から妥当な特許請求の範囲の発明特定事項によってのみ限定されるものである。
【０１１８】
なお、日本国特許出願第２０１１−０９５５１９号（２０１１年４月２１日出願）の全内容が、参照により、本願明細書に組み込まれている。
【産業上の利用可能性】
【０１１９】
本発明によれば、無線端末による無線通信の確実性を向上できる。
【図１】
2012144353.tif 000003
【図２】
2012144353.tif 000004
【図３】
2012144353.tif 000005
【図４】
2012144353.tif 000006
【図５】
2012144353.tif 000007
【図６】
2012144353.tif 000008
【図７】
2012144353.tif 000009
【図８】
2012144353.tif 000010
【図９】
2012144353.tif 000011
【国際調査報告】
2012144353.tif 000012
2012144353.tif 000013